(57)【特許請求の範囲】
【請求項１】
中央の鼻定部から左右に延びるフレームにスライド可能に装着されるスライド部材と、
前記スライド部材の下部に設けられた支持板に取り付けられる垂直軸と、
前記垂直軸を中心に回動するように設けられる角度調整部材と、
前記角度調整部材の下部に連結され、検眼レンズを装着したレンズホルダーを左右側からネジで挟み、水平軸を中心に回動させるフォークと、が備えられることを特徴とする検眼メガネ。
【請求項２】
前記垂直軸は、検眼レンズの中心を通る位置から前記鼻定部の側に偏移していることを特徴とする請求項１に記載の検眼メガネ。
【請求項３】
前記フレームは、前記鼻定部の左右両側にヒンジが設けられることを特徴とする請求項１に記載の検眼メガネ。
【請求項４】
中央の鼻定部から左右に延びるフレームにスライド可能に装着されるスライド部材と、
前記スライド部材と検眼レンズを装着したレンズホルダーの間に取り付けられるボール継手と、が備えられ、
前記ボール継手によって、前記検眼レンズの後退角度と前傾角度が共に調整されることを特徴とする検眼メガネ。
【発明の詳細な説明】
【技術分野】
【０００１】
本発明は、検眼メガネに係り、より詳細には、検眼レンズを自在に顔の側面後方に傾けることができる検眼メガネに関する。
【背景技術】
【０００２】
特許文献１に示すように、本出願人は、検眼レンズを顔の側面後方に傾ける後退角度調整が可能であるとともに、検眼レンズの左右位置の調整、テンプル（耳にかけるつるの部分）の左右位置調整および検眼レンズの前傾角度の調整が可能な検眼メガネを提案した。検眼メガネは、メガネフレームを作るための仮枠でもあり、検眼レンズを装着して視力矯正の具合を確認するために使用する。特許文献１の検眼メガネによれば、検眼レンズを顔の側面後方に傾けて、スポーツ用メガネに対応したレンズの位置を調整できる。
【０００３】
特許文献１では、検眼メガネのフレームを構成するレールにヒンジを設けて、レールを顔の後方に傾けて後退角度を調整可能とした。しかしながら、レールを後方に折り曲げると、検眼レンズが顔や眼球に接触してしまい、大きな後退角度のテストができない場合があった。
【０００４】
一般にメガネは、レンズ全体が前方に向かってフレームに嵌め込まれるので、メガネをかけて正面を向いて物や景色を注視した場合、レンズの光軸と視線の軸は一致して普通に見えている。しかし、スポーツメガネや最近のファッションメガネのように、フレームに‘そり角’があると、前方を見た場合、視線の軸とレンズの光軸は外側に大きくずれる。視線と光軸のずれは、レンズの度数変化やプリズム発生による違和感を生じさせるものとなる。この違和感は、個人差があり、問題なく使用できる人もいれば、苦痛を感じる人もいる。検眼メガネは、事前にどの程度の違和感があるかをテストするものである。検眼メガネのフレームは、仮枠であって、必ずしも実際のメガネフレームの‘そり角’に合致させる必要はない。つまり仮枠にとらわれず検眼レンズを自在に回動できることが望ましい。
【先行技術文献】
【特許文献】
【０００５】
【特許文献１】特開２００９−２４７７７５号公報
【発明の概要】
【発明が解決しようとする課題】
【０００６】
本発明の目的は、左右の検眼レンズを自在に顔の後方に傾けることができる検眼メガネを提供することにある。
【課題を解決するための手段】
【０００７】
本発明による第１の検眼メガネは、中央の鼻定部から左右に延びるフレームにスライド可能に装着されるスライド部材と、前記スライド部材の下部に設けられた支持に取り付けられる垂直軸と、前記垂直軸を中心に回動するように設けられる角度調整部材と、前記角度調整部材の下部に連結され、検眼レンズを装着したレンズホルダーを左右側からネジで挟み、水平軸を中心に回動させるフォークと、が備えられることを特徴とする。
【０００８】
前記垂直軸は、検眼レンズの中心を通る位置から前記鼻定部の側に偏移していることを特徴とする。
【０００９】
前記フレームは、前記鼻定部の左右両側にヒンジが設けられることを特徴とする。
【００１０】
本発明による第２の検眼メガネは、中央の鼻定部から左右に延びるフレームにスライド可能に装着されるスライド部材と、前記スライド部材と検眼レンズを装着したレンズホルダーの間に取り付けられるボール継手と、が備えられ、前記ボール継手によって、前記検眼レンズの後退角度と前傾角度が共に調整されることを特徴とする。
【発明の効果】
【００１１】
本発明による第１の検眼メガネによれば、中央の鼻定部から左右に延びるフレームにスライド可能に装着されるスライド部材と、スライド部材の下部に設けられた支持板に取り付けられる垂直軸と、この垂直軸を中心に回動する角度調整部材と、を設けたので、角度調整部材を回動させると、その下部に連結されたフォークとレンズホルダーが回動し、レンズホルダーに装着された検眼レンズを顔の側面後方に傾けることができる。従来のように検眼フレームのレールを折り曲げることなく自在に後退角度を調整できる。レールを折り曲げる場合に比較して、顔と検眼メガネのフレームまでの間隔が一定とすれば、顔にぶつからずに検眼レンズを大きく回動できる。なお、スライド部材は、顔の横幅に応じて検眼レンズを左右方向に移動できる。フォークは、レンズホルダーを左右側からネジで挟み、レンズホルダーが水平軸を中心に回動され、検眼レンズの前傾角度が調整できる。
【００１２】
垂直軸を検眼レンズの中心を通る位置から鼻定部の側に偏移させたので、検眼レンズの鼻底部に近い側が、検眼レンズを傾ける前と後で、最初の位置から大きく動くことがないようにできる。また、検眼レンズの鼻底部から遠い側を顔の側面に大きく傾斜できる。
【００１３】
フレームの鼻定部の左右側にヒンジを設けたので、フレームを後方に折り曲げることができる。角度調整部材と合わせて使用すれば、検眼レンズの後退角度をユーザの望む位置により細かく調整できる。
【００１４】
本発明による第２の検眼メガネによれば、検眼レンズが装着されたレンズホルダーを任意の方向に回動させるボール継手を備えたので、検眼レンズの後退角度調整と前傾角度調整が簡単にできる。フォークは必要ない。
【図面の簡単な説明】
【００１５】
【図１】本発明による検眼メガネの要部を示す斜視図であり、（Ａ）は検眼レンズまわりの部品の斜視図、（Ｂ）は支持板を裏面斜視図である。（実施例１）
【図２】本発明による検眼メガネの要部を示す斜視図であり、検眼レンズまわりの部品の斜視図である。（実施例２）
【図３】本発明による検眼メガネの要部を示す斜視図であり、検眼レンズまわりの部品の斜視図である。（実施例３）
【図４】図１において、鼻定部の左右側にヒンジを設けて折れ曲がるようにしたフレームの斜視図である。
【図５】図１の部品を組み込んだ検眼メガネの全体斜視図である。
【発明を実施するための形態】
【００１６】
以下、図面を参照して、本発明による検眼メガネを説明する。
【実施例１】
【００１７】
図１は、本発明による第１の検眼メガネの要部を示す斜視図であり、（Ａ）は検眼レンズ９まわりの部品の斜視図を示したものである。図１の検眼レンズ９は、右目に対応する部分を示している。検眼レンズ９は、レンズホルダー５によって交換可能に保持される。スライド部材４は、検眼メガネのフレーム２にフック４ｂによりスライド可能に取り付けられる。スライド可能としたので、顔の大きさに合わせて検眼レンズ９を左右方向に動かすことができる。スライド部材４の下部には、支持板４ａが設けられ、ボルトからなる垂直軸１６が取り付けられる。支持板４ａの下側に、角度調整部材７の回動板７ａが垂直軸１６を中心軸にして回動するように取り付けられる。支持板４ａの一端が折り曲げられ、角度調整部材７を支えている。角度調整部材７の下部には、検眼レンズ９を装着したレンズホルダー５を挟むフォーク１０が連結される。フォーク１０はレンズホルダー５を左右側からネジで挟んでおり、レンズホルダー５が、このネジからなる水平軸１７を中心に回動するので、検眼レンズ９の前傾角度（θ２）が調整できる。
【００１８】
図１の（Ｂ）は支持板４ａの裏面斜視図である。支持板４ａの裏側には、これに限るものではないが６つの係合孔１３が設けられる。各係合孔１３は、後退角度の０度、５度、１０度、１５度、２０度、２５度に対応している。一方、角度調整部材７の回動板７ａには係合ボール１４が設けられる。後退角度（θ１）を設定する際、係合孔１３に係合ボール１４が係合するように角度調整部材７を回動させる。これにより操作感覚が確実に得られ、また後退角度調整がこのような小さな角度にも設定できる。ボールを使用したので、突起などに比較して角度設定の動きがなめらかにできる。
【００１９】
角度調整部材７は垂直軸１６を中心に回動するが、垂直軸１６を検眼レンズ９の中心を通る位置から鼻定部の側に偏移させている。そのため、図１の右目の場合、検眼レンズ９の右側が顔の側面後方に移動し、検眼レンズ９の左側が顔の前方に大きく移動しないようにできる。ただし、回動の中心位置を鼻定部１側に接近させると、検眼レンズ９の回動の半径が大きくなって検眼レンズ９が顔にすぐ接触するものとなる。ここでは２５度程度の後退角度が設定できる位置とした。なお、１回で動かす角度は５度に限られるものではなく、１度〜４度ずつ回動させてもよい。最大の回動角度も２５度に限らない。
【００２０】
垂直軸１６を鼻定部の側に偏移させず、検眼レンズ９の中心を通る位置に設けた場合、角度調整部材７の回動によって検眼レンズ９の鼻定部に近い側が前進し、検眼レンズ９の鼻定部から遠い側が後退する。これは検眼レンズを大きく顔の側面に移動させるものではないが、検眼メガネのフレームがあらかじめ所定の角度に後方に折れ曲がっているなら、それ以上に検眼レンズを後退させる必要がないので、このような取り付け方も有効になる。
【００２１】
垂直軸１６を検眼レンズ９の中心を通る位置から偏移させ、鼻定部から遠くなる位置に設けた場合、角度調整部材７の回動によって、検眼レンズ９の鼻定部に近い側が大きく前進する、または大きく後退するものとなる。検眼メガネのフレームがあらかじめ大きく後方に折れ曲がっているなら、検眼レンズの鼻定部に近い側を顔の側に近づける必要があるので、このような取り付け方も有効になる。
【実施例２】
【００２２】
図２は、本発明による第２の検眼メガネの要部を示す斜視図である。実施例２は、スライド部材４の支持板４ａが実施例１のような広いものではなく、小さなものでよい。図２の検眼レンズ９は、左目に対応した部分を示している。スライド部材４の支持板４ａには、垂直軸１６が取り付けられる。この垂直軸１６には、円筒状の角度調整部材７が回動可能に取り付けられる。引出し円の中に示すように、角度調整部材７の上端には三角形の突起１８があり、下側に係合ボール１４が設けられる。また、支持板４ａには後退角度を設定する係合孔１３が設けられる。各係合孔１３は、後退角度の０度、５度、１０度、１５度、２０度、２５度に対応させた。後退角度（θ１）を設定する場合、この係合孔１３に、係合ボール１４が係合するように角度調整部材７をつかんで回動させる。垂直軸１６は、図２の左側の鼻定部１（図示せず）に近い位置にあって、検眼レンズ９の中心を通る位置からは偏移させている。そのため検眼レンズ９が顔の側面後方に移動しても、検眼レンズ９の鼻側は顔の前方に大きく移動しないようにできる。
【００２３】
図２に示すように、角度調整部材７の下端にはフォーク１０が連結される。フォーク１０内のレンズホルダー５をネジからなる水平軸１７を中心に回動させ、検眼レンズ９の前傾角度（θ２）を調整する。なお、検眼レンズ９は、レンズホルダー５の留め金５ａに交換可能に取り付けることができる。
【実施例３】
【００２４】
図３は本発明による検眼メガネの要部を示す斜視図である。実施例３は、角度調整部材７が実施例１のような回動板ではなく、実施例２のような円筒状のものでもなく、ボール継手１２としたものである。ボール継手１２の下端は直接レンズホルダー５に連結される。すなわちフォーク１０は必要ない。図３の検眼レンズ９は、左目に対応した部分を示している。図３に示すように、ボール継手１２を回動することにより、後退角度θ１も前傾角度θ２も自在に設定できる。
【００２５】
図４は、実施例１（図１）で鼻定部の左右両側にヒンジ１９設け、折れ曲がるようにしたフレームの斜視図である。実施例２、実施例３のフレームにも適用できる。鼻定部１とフレーム２の間を凹凸関係で連結し、折り曲げて回動可能としたものである。スポーツメガネは、フレームが鼻側から耳側に大きく湾曲しているので、折れ曲がるフレームを使用すれば、検眼メガネを実際のフレームにより近いものとすることができる。このようなフレーム２では、垂直軸１６を検眼レンズ９の中心から偏移させなくてもよい。
【００２６】
図５は、図１の検眼レンズまわりの部品を組み込んだ検眼メガネの全体斜視図である。検眼メガネ１００は一対の検眼レンズ９を有する。中央の鼻定部１には、鼻あて８が上下にスライド可能に設けられる。鼻定部１の左右にはフレーム２が取り付けられる。このフレーム２には、スライド部材４がスライド可能に装着され、このスライド部材４の下部に設けられた支持板４ａに垂直軸１６が取り付けられ、垂直軸１６に角度調整部材７が回動可能に取り付けられる。角度調整部材７を回動することにより、検眼レンズ９が耳の側に回り込むので、後退角度の調整ができる。智３（フレーム２の左右端の蝶番）も別のスライド部材に取り付けられるので、智３に連結されるテンプル６（耳かけのつるの部分）の左右位置が調整できる。ここで、角度調整部材７に連結されたフォーク１０は、レンズホルダー５の左右両側をネジで挟み込んでいるので、ネジからなる水平軸１７を中心に検眼レンズ９を回動させれば、検眼レンズ９の前傾角度が調整できる。図５では、鼻定部１の両側にはヒンジがないものとしたが、図４のようなヒンジ１９を設けてもよい。その場合、ヒンジ１９によって、検眼レンズ９を後退させ、さらに角度調整部材７を回動して、検眼レンズ９を後退もしくは前進させる２段階の調整により、検眼レンズ９の位置を細かくかつ正確に調整できる。
【産業上の利用可能性】
【００２７】
本発明による検眼メガネは、検眼レンズをスライド部材の下側で回動したので、スポーツメガネやファッションメガネのレンズの調整に好適である。
【符号の説明】
【００２８】
１    鼻定部
２    フレーム
３    智
４    スライド部材
４ａ    支持板
４ｂ    フック
５    レンズホルダー
５ａ    留め金
６    テンプル
７  角度調整部材
７ａ    回動板
８    鼻あて
９    検眼レンズ
１０    フォーク
１２    ボール継手
１３    係合孔
１４    係合ボール
１６    垂直軸
１７    水平軸
１８    突起
１９    ヒンジ
１００    検眼メガネ
θ１    後退角度
θ２    前傾角度
【要約】
【課題】左右の検眼レンズを自在に顔の後方に傾けることができる検眼メガネを提供する。
【解決手段】本発明による検眼メガネ（１００）は、中央の鼻定部から左右に延びるフレームにスライド可能に装着されるスライド部材（４）と、前記スライド部材の下部に設けられた支持板に取り付けられる垂直軸（１６）と、前記垂直軸を中心に回動するように設けられる角度調整部材（７）と、前記角度調整部材の下部に連結され、検眼レンズ（９）を装着したレンズホルダー（５）を左右側からネジで挟み、水平軸（１７）を中心に回動させるフォーク（１０）と、が備えられる。
【選択図】図１【図１】
0004826988.tif 000002
【図２】
0004826988.tif 000003
【図３】
0004826988.tif 000004
【図４】
0004826988.tif 000005
【図５】
0004826988.tif 000006